(57)【要約】【課題】少数で構造が簡単なパーツにより、製造時に他の素子と容易に統合でき、加工コストを低減させられる超音波リニアモータを提供する。【解決手段】基板と、前記基板上に設けられ、両側に形成された斜面又は曲面と前記基板の表面とで凹状の収容部を形成してなる振動部材と、両側に前記収容部に対向して介在された挟持部が設けられたスライド部材と、を備え、前記振動部材は電源に接続され、駆動動力を前記スライド部材に生成することで、前記スライド部材の挟持部を前記収容部内にスライドさせ、リニア運動を生成する。【選択図】図２
2010041904.tif 000002
【特許請求の範囲】
【請求項１】
基板と、
前記基板上に設けられ、両側に形成された斜面又は曲面と前記基板の表面とで凹状の収容部を形成してなる振動部材と、
両側に前記収容部に対向して介在された挟持部が設けられたスライド部材と、を備え、
前記振動部材は電源に接続され、駆動動力を前記スライド部材に生成することで、前記スライド部材の挟持部を前記収容部内にスライドさせ、リニア運動を生成することを特徴とする超音波リニアモータ。
【請求項２】
前記基板と前記振動部材との間は、一部の表面だけが固定され合っていることを特徴とする請求項１に記載の超音波リニアモータ。
【請求項３】
前記基板と前記振動部材との間は、少なくとも１つのスペーサーを介して固定され、前記スペーサーが、前記振動部材又は前記基板の一部の表面に接着された任意の幾何形状であることを特徴とする請求項２に記載の超音波リニアモータ。
【請求項４】
前記基板が、前記振動部材と固定され合うように少なくとも１つのスペーサーを有し、前記スペーサーが、前記振動部材の一部の表面に接着された任意の幾何形状であることを特徴とする請求項２に記載の超音波リニアモータ。
【請求項５】
前記振動部材が、前記基板と固定され合うように少なくとも１つのスペーサーを有し、前記スペーサーが、前記基板の一部の表面に接着された任意の幾何形状であることを特徴とする請求項２に記載の超音波リニアモータ。
【請求項６】
前記収容部が、内凹のＬ形構造であり、前記振動部材の両側と基板との間に形成された挟み角であることを特徴とする請求項１に記載の超音波リニアモータ。
【請求項７】
前記収容部が形成された前記基板の表面は、平面又は任意の曲面であることを特徴とする請求項１に記載の超音波リニアモータ。
【請求項８】
前記スライド部材が前記収容部に接触した挟持部の表面は、平面又は任意の曲面であることを特徴とする請求項１に記載の超音波リニアモータ。
【請求項９】
前記基板及び前記振動部材が、板状又は殻状であることを特徴とする請求項１に記載の超音波リニアモータ。
【請求項１０】
前記振動部材の材料が、圧電材料であることを特徴とする請求項１に記載の超音波リニアモータ。
【請求項１１】
前記電源が、前記振動部材の共振周波数を有する振動電圧であることを特徴とする請求項１に記載の超音波リニアモータ。
【請求項１２】
前記振動部材の前記基板に対向した表面は、隣接した第１の電極及び第２の電極を有し、前記振動部材の前記スライド部材に対向した表面は接地電極を有し、前記第１の電極及び前記第２の電極のいずれか一つ及び前記接地電極は前記電源に接続されていることを特徴とする請求項１１に記載の超音波リニアモータ。
【請求項１３】
前記振動部材の前記基板に対向した表面は、接地電極を有し、前記振動部材の前記スライド部材に対向した表面は隣接した第１の電極及び第２の電極を有し、前記第１の電極及び前記第２の電極のいずれか一つ及び前記接地電極は前記電源に接続されていることを特徴とする請求項１１に記載の超音波リニアモータ。
【請求項１４】
基板と、
前記基板上に設けられ、両側の表面が斜面又は曲面である振動部材と、
両側に前記振動部材の両側表面に対向して介在された挟持部が設けられたスライド部材と、を備え、
前記振動部材は電源に接続され、駆動動力を前記スライド部材に生成することで、前記スライド部材の挟持部を前記振動部材の両側表面及び前記基板表面に対してスライドさせ、リニア運動を生成することを特徴とする超音波リニアモータ。
【請求項１５】
前記基板と前記振動部材との間は、一部の表面だけが固定され合っていることを特徴とする請求項１４に記載の超音波リニアモータ。
【請求項１６】
前記基板と前記振動部材との間は、少なくとも１つのスペーサーを介して固定され、前記スペーサーが、前記振動部材又は前記基板の一部の表面に接着された任意の幾何形状であることを特徴とする請求項１５に記載の超音波リニアモータ。
【請求項１７】
前記基板が、前記振動部材と固定され合うように少なくとも１つのスペーサーを有し、前記スペーサーが、前記振動部材の一部の表面に接着された任意の幾何形状であることを特徴とする請求項１５に記載の超音波リニアモータ。
【請求項１８】
前記振動部材が、前記基板と固定され合うように少なくとも１つのスペーサーを有し、前記スペーサーが、前記基板の一部の表面に接着された任意の幾何形状であることを特徴とする請求項１５に記載の超音波リニアモータ。
【請求項１９】
前記スライド部材の挟持部が、前記振動部材両側表面及び前記基板表面に同時に接触していることを特徴とする請求項１４に記載の超音波リニアモータ。
【請求項２０】
前記スライド部材の挟持部の表面が、平面又は任意の曲面であることを特徴とする請求項１４に記載の超音波リニアモータ。
【請求項２１】
前記基板及び前記振動部材が、板状又は殻状であることを特徴とする請求項１４に記載の超音波リニアモータ。
【請求項２２】
前記振動部材の材料が、圧電材料であることを特徴とする請求項１４に記載の超音波リニアモータ。
【請求項２３】
前記電源が、前記振動部材の共振周波数を有する振動電圧であることを特徴とする請求項１４に記載の超音波リニアモータ。
【請求項２４】
前記振動部材の前記基板に対向した表面は、隣接した第１の電極及び第２の電極を有し、前記振動部材の前記スライド部材に対向した表面は、接地電極を有し、前記第１の電極及び前記第２の電極のいずれか一つ及び前記接地電極は、前記電源に接続されていることを特徴とする請求項２３に記載の超音波リニアモータ。
【請求項２５】
前記振動部材の前記基板に対向した表面は、接地電極を有し、前記振動部材の前記スライド部材に対向した表面は隣接した第１の電極及び第２の電極を有し、前記第１の電極及び前記第２の電極のいずれか一つ及び前記接地電極は前記電源に接続されていることを特徴とする請求項２３に記載の超音波リニアモータ。
【発明の詳細な説明】
【技術分野】
【０００１】
本発明は、超音波リニアモータに関し、より詳しくは、少数で構造が簡単なパーツを有する超音波リニアモータに関するものである。
【背景技術】
【０００２】
現在の超音波モータは、従来の電磁式モータより応答スピードが速く、位置決めが正確で、それ自身や周囲の回路素子への電波又は磁気による干渉がなく、従来の電磁式モータのような複雑なコイル構造を有さず、その直接リニア駆動特性により従来のモータにおいて膨大でかつ複雑なスクリュー変換機構及び運動変換時に伴う摩擦消耗がなく、無給電の状態におけるセルフロックにより、従来の電磁式モータなら動かなくても電力消耗していたところ、そういった状況を回避できるため、従来の電磁式モータに取って代わるようになり、上述した利点により、超音波モータがマイクロ型駆動素子として広汎に製造され、カメラレンズ駆動用のような駆動装置に適用されるようになった。
【０００３】
超音波モータの駆動原理は、通常、モータにおける振動部材表面に生じた波動によりスライド部材を作動させることで、回転又はリニア運動をさせ、これをモータとして用いる点にある。一般に、超音波リニアモータにはステッピング（ｓｔｅｐｐｉｎｇ）式及び共振式がある。ステッピング式は、数ナノメートルをステッピング単位としステッピング移動させ、共振式は振動部材を共振環境において表面共振波動により駆動させる。両者のいずれにも特徴があるが、前者は位置決め精度が高く、後者は共振環境における操作による高効率及び高移動スピードにおいて利点がある。ステッピング式超音波リニアモータは、その移動スピードが遅く、制御方式が複雑であるため、実験室又は半導体の製造工程に必要とするナノレベル位置決めに多く用いられている。共振式超音波リニアモータは、その効率が高く、駆動が簡単であるため、特に一般の民生用電子製品に適用されている。例えば、高度の統合性を有する微小化されたデジタルビデオカメラ、デジタルスチルカメラ及びカメラ付き携帯電話等において手振れ防止や光学ズーミングのためのモジュール、若しくは電磁干渉除去機能を有する高安全性自動電子ロックに利用されている。
【０００４】
ただし、現在の超音波リニアモータ（例えば米国特許第７１０５９８７号、第７０５３５２５号、第７２０５７０３号参照）においては、セラミックス振動部材を使用するので、加工が困難であることがある。セラミックスは脆弱性材料であり、所要の振動部材形状が複雑であるので金型で一次成形できないため、後続の切削加工製作工程に手間がかかってしまう。また、所要の振動部材の形状が複雑であるため、それに合わせるためのパーツ（例えば米国特許第５４５３６５３号、第６７６５３３５号、第２００８／０７３９９９号のいずれにも軸受け素子が別途に使用されること、米国特許第６７４７３９４号に２つの振動部材が使用されることが開示されているが、パーツが多くなり、２つの振動部材の動的特性の相違により使用時の性能に影響を及ぼしていることがある）が多く、構造も複雑であるため、超音波リニアモータが組み立てられた際に精度に対する要求が相対的に高くなり、さらに振動部材の素子を低コストで大量生産するのが難しくなってしまう。さらに、振動部材の固定構造としては、良好な設計がなければ、振動が抑制されるようになり、性能を完全に生かすことができなくなる。
【０００５】
従って、パーツが少なく、構造が簡単で、製造が容易かつその他の素子と統合でき、加工コスト及び組み立て精度の要求を低減させられるとともに、振動部材の最適な効果を完全に生かせる超音波リニアモータを提供することが、業界において解決すべき課題となっている。
【０００６】
【特許文献１】米国特許第７１０５９８７号
【特許文献２】米国特許第７０５３５２５号
【特許文献３】米国特許第７２０５７０３号
【特許文献４】米国特許第５４５３６５３号
【特許文献５】米国特許第６７６５３３５号
【特許文献６】米国特許第６７４７３９４号
【発明の開示】
【発明が解決しようとする課題】
【０００７】
以上の事情に鑑み、本発明は、パーツが少なく、構造が簡単で、製造が容易かつその他の素子と統合でき、加工コスト及び組み立て精度の要求を低減させられる超音波リニアモータを提供することを課題とする。
【０００８】
また、本発明は、振動部材の最適な性能を完全に生かせる超音波リニアモータを提供することを課題とする。
【課題を解決するための手段】
【０００９】
上記の課題を解決するために、本発明に係る超音波リニアモータは、基板と、前記基板上に設けられ、両側に形成された斜面又は曲面と前記基板の表面とで凹状の収容部を形成してなる振動部材と、両側に前記収容部に対向して介在された挟持部が設けられたスライド部材と、を備え、前記振動部材を電源に接続し、駆動動力を前記スライド部材に生成することで、前記スライド部材の挟持部を前記収容部内にスライドさせ、リニア運動を生成する。
【００１０】
本発明に係る好ましい実施例において、前記基板と前記振動部材との間は、一部の表面だけが固定され合い、前記基板と前記振動部材との間は、少なくとも１つのスペーサーを介して固定され、前記基板は前記振動部材と固定され合うように少なくとも１つの突出部を有し、前記振動部材は、前記基板と固定され合うように少なくとも１つの突出部を有している。また、前記収容部は、内凹のＬ型構造であり、前記収容部が形成された前記基板の表面は平面又は任意の曲面であり、前記スライド部材が前記収容部に接触した挟持部の表面は平面又は任意の曲面であり、前記基板及び前記振動部材は板（ｓｌａｂ）状又は殻（ｓｈｅｌｌ）状であり、前記振動部材の材料は圧電材料であり、前記電源は前記振動部材の共振周波数を有する振動電圧であり、前記振動部材の前記基板に対向した表面は隣接した第１の電極及び第２の電極を有し、前記振動部材の前記スライド部材に対向した表面は接地電極を有し、前記第１の電極及び前記第２の電極のいずれか一つ及び前記接地電極は前記電源に接続され、若しくは前記振動部材の前記基板に対向した表面は接地電極を有し、前記振動部材の前記スライド部材に対向した表面は隣接した第１の電極及び第２の電極を有し、前記第１の電極及び前記第２の電極のいずれか一つ及び前記接地電極は前記電源に接続されている。
【００１１】
また、上記の課題を解決するために、本発明に係る超音波リニアモータは、基板と、前記基板上に設けられ、両側の表面が斜面又は曲面である振動部材と、両側に前記振動部材の両側表面に対向して介在されるとともに前記基板に当接された挟持部が設けられたスライド部材と、を備え、前記振動部材は駆動用の電圧を提供する電源に接続され、駆動動力を前記スライド部材に生成することで、前記スライド部材の挟持部を前記振動部材の両側表面及び前記基板表面に対してスライドさせ、リニア運動を生成する。
【００１２】
本発明に係る好ましい実施例において、前記基板と前記振動部材との間は、一部の表面だけが固定され合い、前記基板と前記振動部材との間は、少なくとも１つのスペーサーを介して固定され、前記基板は前記振動部材と固定され合うように少なくとも１つの突出部を有し、前記振動部材は、前記基板と固定され合うように少なくとも１つの突出部を有している。前記基板の表面は平面又は任意の曲面であり、前記スライド部材の挟持部の表面は平面又は任意の曲面であり、前記基板及び前記振動部材は板状又は殻状であり、前記振動部材の材料は圧電材料であり、前記電源は前記振動部材の共振周波数を有する振動電圧を提供するものであり、前記振動部材の前記基板に対向した表面は隣接した第１の電極及び第２の電極を有し、前記振動部材の前記スライド部材に対向した表面は接地電極を有し、前記第１の電極及び前記第２の電極のいずれか一つ及び前記接地電極は前記電源に接続され、若しくは前記振動部材の前記基板に対向した表面は接地電極を有し、前記振動部材の前記スライド部材に対向した表面は隣接した第１の電極及び第２の電極を有し、前記第１の電極及び前記第２の電極のいずれか一つ及び前記接地電極は前記電源に接続されている。
【００１３】
上述のように、本発明に係る超音波リニアモータは、主に少数で構造が簡単な基板、振動部材及びスライド部材により、製造時に他の素子と容易に整合できるという特色をもつ。つまり、振動部材形状が複雑であるためモジュールで一次成形できず、後続の切削加工製造工程を追加したり、それに合わせるためのパーツを使用したりしなければならないという従来技術が抱えていた問題を回避できるため、加工コスト及び組み立て精度の要求を低減させることが可能となるとともに、本発明において基板と振動部材との間は一部の表面だけが固定され合っているため、振動部材の最適な効果を生かすことができるようになる。
【発明を実施するための最良の形態】
【００１４】
下記において特定の具体的な実施例により、本発明の実施方式を説明する。明細書に記載の内容は、この技術分野に精通した者なら簡単に本発明のその他の利点や効果が理解できる。
【００１５】
本発明に係る超音波リニアモータの立体組み合わせ、分解模式図及び断面模式図を、それぞれ図１〜図３に示す。図に示すように、超音波リニアモータ１は、基板１０、振動部材１１及びスライド部材１２を備えている。以下、本発明に係る超音波リニアモータ１における各部材について詳しく説明する。
【００１６】
本実施例において、基板１０の形状はＨ形となっており、中央位置には板状又は殻状である突出部１００を有している。ここで、実際に実施される場合、基板１０の形状及び突出部１００の形状、サイズ、位置又は数量は本実施例に限定されるものではない。基板１０の形状は矩形（図４に示す）であってもよく、その他の任意の形状であってもよい。本実施例における基板１０がＨ形状であることについては、後述する。
【００１７】
振動部材１１は基板１０上に設けられ、振動部材１１の両側に形成された斜面１１４と基板１０の表面とが凹状に形成された収容部１３には、スライド部材１２の両側に形成された挟持部が摺動可能に設置され、電源からの駆動電圧が振動部材に印加され、駆動動力が生成される。本実施例において、振動部材１１は板状又は殻状であり、材料が圧電材料であり、電源が振動部材１１の共振周波数を有する振動電圧であり、振動部材１１の基板１０に対向した表面は隣接した第１の電極１１０及び第２の電極１１１を有し、振動部材１１のスライド部材１２に対向した表面は接地電極１１２を有し、第１の電極１１０及び第２の電極１１１のいずれか一つ及び接地電極１１２は電源に接続されることにより、振動部材１１に楕円形運動軌跡の波動（即ち駆動動力）を生成させる。図５に示すように、振動部材１１の第１の電極１１０及び接地電極１１２に電源２が接続されて駆動電圧が印加されると、振動部材１１は、図６（Ａ）ないし図６（Ｄ）に示す楕円形運動軌跡の波動（即ち駆動動力）を生成する。図においてDは振動体１１の表面、Eは基準面を表す、又、ブロックＣ１、Ｃ２、Ｃ３及びＣ４は振動部材１１上のある箇所が異なる時間（図において４つの特定時間のみがサンプルされている）に生じた位置変化である。図面における位置変化により、本実施例における振動部材１１に電源２が接続された場合、図６（Ｄ）の矢印に示すように楕円形運動軌跡の波動（即ち駆動動力）を生成することができる。前記駆動動力により駆動される振動部材１１の運動軌跡は本実施例に限定されるものではなく、実際に実施された場合、振動部材１１の形状などの条件に応じて決められるため、前記運動軌跡は往復の直線運動軌跡又はその他の態様の運動軌跡であってもよい。また、その他の実施例（図示せず）において、接地電極１１２は、振動部材１１の基板１０に対向した表面に設けられているのに対し、隣接した第１の電極１１０及び第２の電極１１１は振動部材１１のスライド部材１２に対向した表面に設けられている。
【００１８】
ここで、振動部材１１の基板１０に対向した表面に設けられる第１の電極１１０及び第２の電極１１１に合わせるために、基板１０をＨ形状にすることで、第１の電極１１０及び第２の電極１１１を外部に露出させて電源線に接続させる。使用する基板１０が矩形（例えば図４、７（Ａ）及び７（Ｂ）に示す）であれば、基板１０の両端の適当な箇所に小孔が開けて、電源線を前記小孔に通してり、前記第１の電極１１０及び第２の電極１１１に接続されるようにする。
【００１９】
また、振動部材１１と基板１０との間は一部の表面だけが固定され合い、即ち基板１０の突出部１００を介して振動部材１１の底部の対向箇所に接着されることにより、基板１０と振動部材１１との接合面積が小さくなり、振動部材１１に電源からの駆動電圧が印加された後、基板１０による振動効果への影響を減らし、高効率の駆動動力を生成する。基板１０の突出部１００は振動部材１１の一部の表面に接着される任意の幾何形状であるが、ここで、図７（Ａ）及び図７（Ｂ）に示すように、基板１０の突出部１００が複数であってもよい。また、基板１０の突出部１００の形状、サイズ、数量及び位置に合わせるために、基板１０の形状及び振動部材１１上に設けられた第１の電極１１０及び第２の電極１１１（図７（Ａ）及び図７（Ｂ）に図示せず）の設置位置も相対的に調整する必要がある。
【００２０】
他の実施例において、図８（Ａ）に示すように、基板１０と振動部材１１との間は独立したスペーサー１４により固定され、若しくは図８（Ｂ）に示すように、振動部材１１の底部に突出部１１３を設けて、基板１０と固定し合ってもよい。上述した全実施例において、図９（Ａ）ないし図９（Ｃ）に示すように、スペーサー１４又は突出部１００又は突出部１１３は、振動部材１１又は基板１０の一部の表面に接着される任意の幾何形状である。
【００２１】
さらに、本実施例において、収容部１３は内凹のＬ形構造であり、前記内凹のＬ形構造とは、振動部材１１の両側面と基板１０との間に形成された挟み角が鋭角（即ち９０°以下）である状態を指す。また、その他の実施例において、前記挟み角は９０°以上であってもよく、図１０（Ａ）及び図１０（Ｂ）に示すように、収容部１３が形成された基板１０の表面は平面又は任意の曲面であり、図１１（Ａ）ないし図１１（Ｃ）に示すように、収容部１３が形成された振動部材１１の両側の表面は斜面又は任意の曲面である。また、収容部１３が形成された基板１０の表面が任意の曲面である場合、又は収容部１３が形成された振動部材１１の両側の表面が任意の曲面である場合、振動部材１１の両側と基板１０との間の挟み角は、スライド部材１２と基板１０又は振動部材１１との接触部分の接線を角度の判断基準とする。
【００２２】
スライド部材１２は両側に収容部１３に対向して形成された挟持部１２０により、振動部材１１に生じた駆動動力を受けてリニア運動を行う。本実施例において、図１２（Ａ）及び図１２（Ｂ）に示すように、スライド部材１２が収容部１３、振動部材１１及び基板１０に接触する挟持部１２０の表面は曲面となっているが、この接触面を平面にしてもよい。
【００２３】
以下、図１３（Ａ）及び図１３（Ｂ）を参照しながら、本発明に係る超音波リニアモータ１の動作原理を説明する。
【００２４】
図１３（Ａ）に示すように、振動部材１１の第１の電極及び接地電極に振動部材１１の共振周波数を有する振動電圧を印加する場合、振動部材１１の表面に楕円形運動軌跡の波動が生じるようになり、スライド部材１２が作動され、同図における矢印Ａに示す方向にリニア運動する。逆に、図１３（Ｂ）に示すように、振動部材１１の第２の電極及び接地電極に振動部材１１の共振周波数を有する振動電圧を印加する場合、振動部材１１の表面に楕円形運動軌跡の波動が生じるようになり、スライド部材１２が作動され、同図における矢印Ｂに示す方向にリニア運動する。従って、実際に実施された場合、必要に応じて異なるタイミングで前記第１の電極と前記接地電極、及び前記第２の電極と前記接地電極にそれぞれ印加されることで、スライド部材１２に往復のリニア運動を生成させ、本発明に係る超音波リニアモータ１のリニア運動の効果が図られるようになる。
【００２５】
上述のように、少数で構造が簡単な基板、振動部材及びスライド部材により、製造時に他の素子と容易に統合できる。特に振動部材の両側の表面が斜面となり、構造が簡単なためモジュールで階段形状に一次成形することができ、後続の切削加工製作工程を追加しなくてもよくなるため、製造工程における加工コスト及び組み立て精度の要求を低減させることが可能となる。つまり、振動部材の形状が複雑であるためモジュールで一次成形できず、後続の切削加工製造工程を追加したり、それに合わせるためのパーツを使用したりしなければならないという従来技術の抱えていた問題を回避でき、また、本発明において基板と振動部材との間は一部の表面だけが前記の突出部又はスペーサーを介して固定され合っているため、振動部材の最適な効果を生かすことができるようになる。
【００２６】
本発明において基板と振動部材との間は一部の表面だけが互いに固定されているため、振動部材の最適な効果を生かすことができるようになる。
【００２７】
上記のように、これらの実施の形態は本発明の原理および効果・機能を例示的に説明するものであり、本発明は、これらによって限定されるものではない。本発明に係る実質的な技術内容は、下記の実用新案請求の範囲に定義される。本発明は、この技術分野に精通した者により実用新案請求の範囲を逸脱しない範囲で色々な修飾や変更をすることが可能であり、そうした修飾や変更は本発明の技術範囲に含まれるものである。
【図面の簡単な説明】
【００２８】
【図１】本発明に係る超音波リニアモータの立体組み合わせを模式的に示したブロック図である。
【図２】本発明に係る超音波リニアモータの立体分解を模式的に示したブロック図である。
【図３】本発明に係る超音波リニアモータの断面を模式的に示したブロック図である。
【図４】本発明に係る超音波リニアモータの基板のその他の実施例を模式的に示したブロック図である。
【図５】本発明に係る超音波リニアモータの振動部材に電源が投入された場合の回路を模式的に示したブロック図である。
【図６（Ａ）】本発明に係る超音波リニアモータの振動部材に電源が投入された時に生じた楕円形運動軌跡の波動を模式的に示したブロック図である。
【図６（Ｂ）】本発明に係る超音波リニアモータの振動部材に電源が投入された時に生じた楕円形運動軌跡の波動を模式的に示したブロック図である。
【図６（Ｃ）】本発明に係る超音波リニアモータの振動部材に電源が投入された時に生じた楕円形運動軌跡の波動を模式的に示したブロック図である。
【図６（Ｄ）】本発明に係る超音波リニアモータの振動部材に電源が投入された時に生じた楕円形運動軌跡の波動を模式的に示したブロック図である。
【図７（Ａ）】本発明に係る超音波リニアモータの基板上における突出部のその他の実施例を模式的に示したブロック図である。
【図７（Ｂ）】本発明に係る超音波リニアモータの基板上における突出部のその他の実施例を模式的に示したブロック図である。
【図８（Ａ）】本発明に係る超音波リニアモータの基板及び振動部材のその他の固定方式の実施例を模式的に示したブロック図である。
【図８（Ｂ）】本発明に係る超音波リニアモータの基板及び振動部材のその他の固定方式の実施例を模式的に示したブロック図である。
【図９（Ａ）】本発明に係る超音波リニアモータのスペーサー及び突出部の形状の実施例を模式的に示したブロック図である。
【図９（Ｂ）】本発明に係る超音波リニアモータのスペーサー及び突出部の形状の実施例を模式的に示したブロック図である。
【図９（Ｃ）】本発明に係る超音波リニアモータのスペーサー及び突出部の形状の実施例を模式的に示したブロック図である。
【図１０（Ａ）】本発明に係る超音波リニアモータの基板表面の実施例を模式的に示したブロック図である。
【図１０（Ｂ）】本発明に係る超音波リニアモータの基板表面の実施例を模式的に示したブロック図である。
【図１１（Ａ）】本発明に係る超音波リニアモータの振動部材両側の表面の実施例を模式的に示したブロック図である。
【図１１（Ｂ）】本発明に係る超音波リニアモータの振動部材両側の表面の実施例を模式的に示したブロック図である。
【図１１（Ｃ）】本発明に係る超音波リニアモータの振動部材両側の表面の実施例を模式的に示したブロック図である。
【図１２（Ａ）】本発明に係る超音波リニアモータのスライド部材の挟持部表面の実施例を模式的に示したブロック図である。
【図１２（Ｂ）】本発明に係る超音波リニアモータのスライド部材の挟持部表面の実施例を模式的に示したブロック図である。
【図１３（Ａ）】本発明に係る超音波リニアモータの実施例の作動を模式的に示したブロック図である。
【図１３（Ｂ）】本発明に係る超音波リニアモータの実施例の作動を模式的に示したブロック図である。
【符号の説明】
【００２９】
１  １  超音波リニアモータ
１０  基板
１００  突出部
１１  振動部材
１１０  第１の電極
１１１  第２の電極
１１２  接地電極
１１３  突出部
１１４  斜面
１２  スライド部材
１２０  挟持部
１３  収容部
１４  スペーサー
２  電源
Ａ、Ｂ  矢印
Ｃ１、Ｃ２、Ｃ３、Ｃ４  ブロック
【図１】
2010041904.tif 000003
【図２】
2010041904.tif 000004
【図３】
2010041904.tif 000005
【図４】
2010041904.tif 000006
【図５】
2010041904.tif 000007
【図６（Ａ）】
2010041904.tif 000008
【図６（Ｂ）】
2010041904.tif 000009
【図６（Ｃ）】
2010041904.tif 000010
【図６（Ｄ）】
2010041904.tif 000011
【図７（Ａ）】
2010041904.tif 000012
【図７（Ｂ）】
2010041904.tif 000013
【図８（Ａ）】
2010041904.tif 000014
【図８（Ｂ）】
2010041904.tif 000015
【図９（Ａ）】
2010041904.tif 000016
【図９（Ｂ）】
2010041904.tif 000017
【図９（Ｃ）】
2010041904.tif 000018
【図１０（Ａ）】
2010041904.tif 000019
【図１０（Ｂ）】
2010041904.tif 000020
【図１１（Ａ）】
2010041904.tif 000021
【図１１（Ｂ）】
2010041904.tif 000022
【図１１（Ｃ）】
2010041904.tif 000023
【図１２（Ａ）】
2010041904.tif 000024
【図１２（Ｂ）】
2010041904.tif 000025
【図１３（Ａ）】
2010041904.tif 000026
【図１３（Ｂ）】
2010041904.tif 000027